【手続補正書】
【提出日】令和2年7月2日(2020.7.2)
【手続補正１】
【補正対象書類名】特許請求の範囲
【補正対象項目名】全文
【補正方法】変更
【補正の内容】
【特許請求の範囲】
【請求項１】
コンピュータによって実現される電子機器にキーワード検索方法を実行させるためのコンピュータプログラムであって、
前記キーワード検索方法は、
前記電子機器のユーザのアカウントと他のアカウントとの間で設定されたトークセッションで送受信されるインスタントメッセージを、前記電子機器の画面にメッセンジャーインタフェースを通じて表示することと、
検索命令の入力に基づいて、前記トークセッションで送受信されるインスタントメッセージのうちの少なくとも一部のインスタントメッセージを、キーワード検索のためにサーバに送信することと、
前記送信された少なくとも一部のインスタントメッセージから抽出されたキーワードに基づいて前記サーバで生成された検索結果を、前記サーバから受信することと、
前記受信した検索結果を前記画面に表示することと、
を含む、コンピュータプログラム。
【請求項２】
前記送信することは、
前記インスタントメッセージのうち、前記検索命令が入力される時点で前記メッセンジャーインタフェースを通じて前記画面に表示されているインスタントメッセージを前記サーバに送信する、請求項１に記載のコンピュータプログラム。
【請求項３】
前記キーワード検索方法は、
前記メッセンジャーインタフェースの予め設定された領域に対するユーザの選択に基づいて、前記検索命令の入力を受けること
を更に含む、請求項１または２に記載のコンピュータプログラム。
【請求項４】
前記キーワード検索方法は、
前記電子機器に含まれるセンサの出力値に基づいて生成される、前記検索命令の入力を受けること
を更に含む、請求項１乃至３のいずれか一項に記載のコンピュータプログラム。
【請求項５】
前記検索結果を表示することは、
前記検索結果を、インスタントメッセージが表示される前記メッセンジャーインタフェースと連係させて前記電子機器の画面に表示する、請求項１乃至４のいずれか一項に記載のコンピュータプログラム。
【請求項６】
前記検索結果を表示することは、
前記検索結果を、前記メッセンジャーインタフェースの予め設定された領域の一部にポップアップカードの形態で表示する、請求項１乃至５のいずれか一項に記載のコンピュータプログラム。
【請求項７】
前記ポップアップカードは、対応する検索結果をインスタントメッセージとして送信するための機能を含み、
前記機能が選択される場合、前記検索結果を含むインスタントメッセージが前記トークセッションを通じて送信される、請求項６に記載のコンピュータプログラム。
【請求項８】
前記検索結果を表示することは、
前記表示されるポップアップカードを利用して、前記検索結果と関連するプロセスを呼び出すための機能を提供する、請求項６または７に記載のコンピュータプログラム。
【請求項９】
前記検索結果と関連するプロセスは、
前記検索結果と関連するサイトへの移動のためのプロセス、前記検索結果と関連するコンテンツの再生のためのプロセス、及び前記トークセッションを通じて前記検索結果を提供するためのプロセスのうちの少なくとも１つを含む、請求項８に記載のコンピュータプログラム。
【請求項１０】
前記送信することは、
前記少なくとも一部のインスタントメッセージを前記トークセッションに参加したユーザ別に区分するためのユーザ区分情報を前記サーバに更に送信し、
前記ユーザ区分情報に基づいて前記サーバで確認される前記他のユーザのインスタントメッセージが、前記ユーザのインスタントメッセージよりも相対的に高い検索優先順位を有する、請求項１乃至９のいずれか一項に記載のコンピュータプログラム。
【請求項１１】
コンピュータによって実現される電子機器のキーワード検索方法であって、
前記電子機器のユーザのアカウントと他のアカウントとの間で設定されたトークセッションで送受信されるインスタントメッセージを、前記電子機器の画面にメッセンジャーインタフェースを通じて表示することと、
検索命令の入力に基づいて、前記トークセッションで送受信されたインスタントメッセージのうちの少なくとも一部のインスタントメッセージを、キーワード検索のためにサーバに送信することと、
前記送信された少なくとも一部のインスタントメッセージから抽出されたキーワードに基づいて前記サーバで生成された検索結果を、前記サーバから受信することと、
前記受信した検索結果を前記画面に表示することと、
を含む、キーワード検索方法。
【請求項１２】
前記送信することは、
前記インスタントメッセージのうち、前記検索命令が入力される時点で前記メッセンジャーインタフェースを通じて前記画面に表示されているインスタントメッセージを、前記サーバに送信する、請求項１１に記載のキーワード検索方法。
【請求項１３】
前記検索結果を表示することは、
前記検索結果を、インスタントメッセージが表示される前記メッセンジャーインタフェースと連係させて前記電子機器の画面に表示する、請求項１１または１２に記載のキーワード検索方法。
【請求項１４】
コンピュータによって実現されるキーワード検索のための装置であって、
電子機器のユーザのアカウントと他のアカウントとの間で設定されたトークセッションで送受信されるインスタントメッセージのうちの少なくとも一部のインスタントメッセージを、前記電子機器から受信し、
前記受信した少なくとも一部のインスタントメッセージからキーワードを抽出し、
前記抽出されたキーワードを利用して検索結果を生成し、
前記電子機器に前記生成された検索結果を送信する、
ように構成される装置。
【請求項１５】
前記受信した少なくとも一部のインスタントメッセージは、前記電子機器で検索命令が入力される時点で前記電子機器の画面に表示されているインスタントメッセージを含む、請求項１４に記載の装置。
【請求項１６】
前記受信した少なくとも一部のインスタントメッセージを通じて複数のキーワードが抽出される場合、前記抽出された複数のキーワードそれぞれに対する検索回数に基づいて、予め設定された数以下のキーワードを選定するように更に構成され、
前記検索結果を生成することは、
前記選定された予め設定された数以下のキーワードを利用して前記検索結果を生成する、請求項１４または１５に記載の装置。
【請求項１７】
前記受信することは、
前記受信した少なくとも一部のインスタントメッセージを前記トークセッションに参加したユーザ別に区分するためのユーザ区分情報を更に受信し、
前記キーワードを抽出することは、
前記ユーザ区分情報に基づいて確認される前記他のユーザのインスタントメッセージに、前記ユーザのインスタントメッセージよりも相対的に高い検索優先順位を付与し、前記他のユーザのインスタントメッセージから優先的にキーワードを抽出する、請求項１４乃至１６のいずれか一項に記載の装置。
【請求項１８】
前記抽出されたキーワードが２つ以上の意味を持つ場合、前記２つ以上の意味のうちから１つの意味を選択して前記抽出されたキーワードとマッチングするように更に構成され、
前記検索結果を生成することは、
前記抽出されたキーワードとマッチングする意味に対応する検索結果を生成する、請求項１４乃至１７のいずれか一項に記載の装置。
【請求項１９】
前記マッチングすることは、
前記受信した少なくとも一部のインスタントメッセージに出現する単語に基づき、前記抽出されたキーワードとマッチングさせるための意味を選択する、請求項１８に記載の装置。
【請求項２０】
前記検索結果は、前記電子機器の画面にインスタントメッセージを表示するためのメッセンジャーインタフェースと連係させてポップアップカードの形態で前記電子機器の画面に表示され、
前記表示されたポップアップカードを利用して前記検索結果と関連するプロセスを呼び出すための機能が提供される、請求項１４乃至１９のいずれか一項に記載の装置。